(57)【要約】【課題】光源から出射され入射した光を出射面における輝度の均一化と出射効率の向上を図って出射することができる導光板および照明装置を提供すること。【解決手段】並列される複数のＬＥＤ３Ａ，３Ｂから出射される光が入射し、互いに対向して配置される端面６および端面７と、各端面６，７から入射した光が出射する互いに対向して配置される第１主平面８および第２主平面９と、第２主平面９に対向して配置され、反射手段５とを有し、各主平面８，９には、並列される複数のＬＥＤ３Ａ，３Ｂの隣り合う光源の間に対応した領域に、各端面６，７から対向する端面に向かうに従って幅が狭くなる点状光拡散部１０Ａ，１０Ｂおよび線状光拡散部１２Ａ，１２Ｂが形成されていることとする。【選択図】図１
2015153522.tif 000002
【特許請求の範囲】
【請求項１】
並列される複数の光源から出射される光が入射し、互いに対向して配置される第１端面および第２端面と、
前記各端面から入射した前記複数の光源からの光が出射する互いに対向して配置される第１主平面および第２主平面と、
前記第２主平面に対向して配置され、前記第２主平面から出射された前記光を前記第２主平面側に反射する反射手段と、
を有し、
前記各主平面には、前記並列される複数の光源の隣り合う光源の間に対応した領域に、前記各端面から対向する端面に向かうに従って幅が狭くなる第１光拡散部が形成され、
前記各主平面のうち、いずれか一方の主平面に形成される前記第１光拡散部は、多数の突起または穴の集合にて形成される点状第１光拡散部であり、他方の主平面に形成される前記第１光拡散部は、長さ方向が前記複数の光源の並列方向に平行な多数の凸条または溝の集合にて形成される線状第１光拡散部である、
ことを特徴とする導光板。
【請求項２】
請求項１に記載の導光板において、
前記点状第１光拡散部は、前記第２主平面に形成され、前記線状第１光拡散部は、前記第１主平面に形成されている、
ことを特徴とする導光板。
【請求項３】
請求項１または２に記載の導光板において、
前記点状第１光拡散部および前記線状第１光拡散部は、前記光源の照射角の７０％よりも外側の範囲に形成されている、
ことを特徴とする導光板。
【請求項４】
請求項１から３のいずれか１項に記載の導光板において、
前記各主平面には、前記第１端面側に形成される前記第１光拡散部と前記第２端面側に形成される前記第１光拡散部との間に第２光拡散部が形成され、
前記第１拡散部として前記点状第１光拡散部が形成される側の前記主平面に形成される前記第２光拡散部は、多数の突起または穴の集合にて形成される点状第２光拡散部であり、前記第１拡散部として前記線状第１光拡散部が形成される側の前記主平面に形成される前記第２光拡散部は、長さ方向が前記光源の並列方向に平行な多数の凸条または溝の集合にて形成される線状第２光拡散部である、
ことを特徴とする導光板。
【請求項５】
前記請求項４に記載の導光板において、
前記点状第２光拡散部は、前記光源の照明光軸からの距離が遠いほど形成密度が高い、
ことを特徴とする導光板。
【請求項６】
請求項１から５のいずれか１項に記載の導光板において、
前記導光板は、前記第１端面と前記第２端面との間隔が３０ｍｍ以上８０ｍｍ以下である、
ことを特徴とする導光板。
【請求項７】
請求項１から６のいずれか１項に記載の導光板において、
前記光源は、ＬＥＤチップをカップ状の反射板内に配置したＬＥＤであり、
前記導光板の前記第１主平面と前記第２主平面との間隔は、前記反射板の開口径以上であり前記開口径の３倍以下である、
ことを特徴とする導光板。
【請求項８】
請求項１から７のいずれか１項に記載の導光板において、
前記第１端面と前記第２端面とは、前記領域に対応した部分が前記第２主平面から前記第１主平面に向かって互いに間隔が広くなる斜面に形成されている、
ことを特徴とする導光板。
【請求項９】
請求項１から８のいずれか１項に記載の導光板において、
前記第１主平面から出射した光が入射する光入射面と、この光入射面から入射した光が出射する光出射面とを有する拡散板が前記第１主平面の側に配置され、
前記拡散板は、前記第１主平面側に突出し、前記導光板の前記第１主平面の周縁部のうち少なくとも前記各端面側の周縁部に対向する位置に設けられ、前記各周縁部から出射する光が入射する光入射面である周縁光入射面を有する凸条部を有する、
ことを特徴とする導光板。
【請求項１０】
請求項９に記載の導光板において、
前記各周縁部と前記凸条部の周縁光入射面との間には、前記周縁部から出射した光が前記周縁光入射面に入射する光量を制限する光遮蔽部が備えられている、
ことを特徴とする導光板。
【請求項１１】
請求項１から１０のいずれか１項に記載の導光板と、
前記導光板の前記端面に光を入射する光源と、
を有することを特徴とする照明装置。
【発明の詳細な説明】
【技術分野】
【０００１】
本発明は、導光板および照明装置に関する。
【背景技術】
【０００２】
従来、特許文献１から３に開示されるように、ＬＥＤ（Ｌｉｇｈｔ Ｅｍｉｔｔｉｎｇ Ｄｉｏｄｅ）光源から出射された光を出射面から面光源として出射させる導光板が知られている。かかる導光板においては、ＬＥＤから出射され入射した光を出射する出射面における輝度の均一化と出射効率の向上を図ることが要求されている。
【先行技術文献】
【特許文献】
【０００３】
【特許文献１】特開２０１０−２１８６９３号公報
【特許文献２】特開平９−１０１５２１号公報
【特許文献３】特開平９−６１６３１号公報
【発明の概要】
【発明が解決しようとする課題】
【０００４】
そこで、本発明は、光源から出射され入射した光を出射面における輝度の均一化と出射効率の向上を図って出射することができる導光板および照明装置を提供することを目的とする。
【課題を解決するための手段】
【０００５】
上記課題を解決するために、本発明の導光板は、並列される複数の光源から出射される光が入射し、互いに対向して配置される第１端面および第２端面と、各端面から入射した複数の光源からの光が出射する互いに対向して配置される第１主平面および第２主平面と、第２主平面に対向して配置され、第２主平面から出射された光を第２主平面側に反射する反射手段とを有し、各主平面には、並列される複数の光源の隣り合う光源の間に対応した領域に、各端面から対向する端面に向かうに従って幅が狭くなる第１光拡散部が形成され、各主平面のうち、いずれか一方の主平面に形成される第１光拡散部は、多数の突起または穴の集合にて形成される点状第１光拡散部であり、他方の主平面に形成される第１光拡散部は、長さ方向が複数の光源の並列方向に平行な多数の凸条または溝の集合にて形成される線状第１光拡散部であることとする。
【０００６】
また、上記発明に加えて、導光板は、点状第１光拡散部は、第２主平面に形成され、線状第１光拡散部は、第１主平面に形成されていることとする。
【０００７】
また、上記発明に加えて、導光板は、点状第１光拡散部および線状第１光拡散部は、光源の照射角の７０％よりも外側の範囲に形成されていることとする。
【０００８】
また、上記発明に加えて、導光板は、各主平面には、第１端面側に形成される第１光拡散部と第２端面側に形成される第１光拡散部との間に第２光拡散部が形成され、第１拡散部として点状第１光拡散部が形成される側の主平面に形成される第２光拡散部は、多数の突起または穴の集合にて形成される点状第２光拡散部であり、第１拡散部として線状第１光拡散部が形成される側の主平面に形成される第２光拡散部は、長さ方向が光源の並列方向に平行な多数の凸条または溝の集合にて形成される線状第２光拡散部であることとする。
【０００９】
また、上記発明に加えて、導光板は、点状第２光拡散部は、光源の照明光軸からの距離が遠いほど形成密度が高いこととする。
【００１０】
また、上記発明に加えて、導光板は、第１端面と第２端面との間隔が３０ｍｍ以上８０ｍｍ以下であることとする。
【００１１】
また、上記発明に加えて、導光板は、光源が、ＬＥＤチップをカップ状の反射板内に配置したＬＥＤであり、導光板の第１主平面と第２主平面との間隔は、反射板の開口径以上であり開口径の３倍以下であることとする。
【００１２】
また、上記発明に加えて、導光板は、第１端面と第２端面とは、領域に対応した部分が第２主平面から第１主平面に向かって互いに間隔が広くなる斜面に形成されていることとする。
【００１３】
また、上記発明に加えて、導光板は、第１主平面から出射した光が入射する光入射面と、この光入射面から入射した光が出射する光出射面とを有する拡散板が第１主平面の側に配置され、拡散板は、第１主平面側に突出し、導光板の第１主平面の周縁部のうち少なくとも各端面側の周縁部に対向する位置に設けられ、各周縁部から出射する光が入射する光入射面である周縁光入射面を有する凸条部を有することとする。
【００１４】
また、上記発明に加えて、導光板は、各周縁部と凸条部の周縁光入射面との間には、周縁部から出射した光が周縁光入射面に入射する光量を制限する光遮蔽部が備えられていることとする。
【００１５】
上記課題を解決するために、本発明の照明装置は、上述の導光板と、この導光板の端面に光を入射する光源とを有することとする。
【図面の簡単な説明】
【００１６】
【図１】本発明の第１の実施の形態に係る照明装置の構成を示す斜視図である。上段（Ａ）は、照明装置を右後方から見た斜視図であり、下段（Ｂ）は、照明装置を右前方から見た斜視図である。
【図２】図１（Ａ）（Ｂ）に示す切断線Ａ−Ａにおける照明装置の断面の構造を示す断面図である。
【図３】照明装置を光出射面側から見た平面図である。
【図４】反射板を取り除いた状態の照明装置を、下方から見た斜視図である。
【図５】ＬＥＤの反射板の開口径と導光板本体の厚さとの関係を説明する図である。
【図６】本発明の第２の実施の形態に係る照明装置の構成を示す斜視図である。上段（Ａ）は、照明装置を右後方から見た斜視図であり、下段（Ｂ）は、照明装置を右前方から見た斜視図である。
【図７】本発明の第３の実施の形態に係る照明装置の構成を示す斜視図である。
【図８】図７に示す切断線Ｄ−Ｄにおける照明装置の断面の構造を示す断面図である。なお、構成を判り易くするため、ハッチングを省略している。
【図９】本発明の第４の実施の形態に係る照明装置の構成を示す断面図である。なお、構成を判り易くするため、ハッチングを省略している。
【図１０】本発明の照明装置を２個並列させたパネル型照明装置の１例を示す平面図である。
【発明を実施するための形態】
【００１７】
以下、本発明の実施の形態に係る照明装置１および導光板２について、図面を参照しながら説明する。なお、導光板２は、照明装置１の構成に併せて説明する。
【００１８】
（第１の実施の形態）
図１は、本発明の第１の実施の形態に係る照明装置１の構成を示す斜視図であり、上段（Ａ）は、照明装置１を右後方から見た斜視図であり、下段（Ｂ）は、照明装置１を右前方から見た斜視図である。図２は、図１（Ａ）（Ｂ）に示す切断線Ａ−Ａにおける照明装置１の断面の構造を示す断面図である。図２においては、構成を判り易くするため、ハッチングが省略されている。図３は、照明装置１を光出射面側から見た平面図である。図４は、反射板５を取り除いた状態の照明装置１を、下方から見た斜視図である。なお、以下の各実施の形態の説明において、導光板２の光の導光方向を前後方向とし、矢視Ｘ１方向を前方（前側）、矢視Ｘ２方向を後方（後側）として説明する。また、ＬＥＤ３ＡおよびＬＥＤ３Ｂの並列方向を左右方向とし、矢視Ｙ１方向を左方（左側）、矢視Ｙ２方向を右方（右側）として説明する。そして、照明装置１の光の出射方向を上方向とし、矢視Ｚ１方向を上方（上側）、矢視Ｚ２方向を下方（下側）として説明する。
【００１９】
（照明装置１）
図１（Ａ）（Ｂ）および図２に示すように、照明装置１は、導光板２と、光源としてのＬＥＤ３Ａ，３Ｂとを有する。導光板２は、導光板本体４と、反射手段を構成する反射板５とを有し、反射板５の上方に導光板本体４が配置されている。導光板本体４の後側の端面６には、複数のＬＥＤ３Ａが備えられている。ＬＥＤ３Ａは、左右方向に並列されている。また、導光板本体４の前側の端面７には、複数のＬＥＤ３Ｂが備えられ、ＬＥＤ３ＢもＬＥＤ３Ａと同様に、左右方向に並列されている。すなわち、導光板本体４に対して配置されるＬＥＤ３ＡおよびＬＥＤ３Ｂとは、導光板本体４を前後方向に挟んで反対側に配置されている。
【００２０】
なお、ＬＥＤ３Ａ，３Ｂに代えて、ＣＣＦＬ（Ｃｏｌｄ Ｃａｔｈｏｄｅ Ｆｌｕｏｒｅｓｃｅｎｔ Ｌａｍｐ：冷陰極蛍光管）、電球（たとえば白熱電球）や蛍光灯などを光源として用いてもよい。ＬＥＤは、他の光源と比べ、消費電力および発熱量が小さく、また、小型化しやすい点等で優れている。したがって、光源としては、ＬＥＤを用いることが好ましい。
【００２１】
（導光板本体４）
導光板本体４は、たとえば、透明なアクリル樹脂から形成される充実構造である。導光板本体４は、平面視において矩形であり、全体として上下方向に扁平した板状体を呈し、ＬＥＤ３Ａが配置される端面６と、ＬＥＤ３Ｂが配置される端面７と、第１主平面８と、第２主平面９とを有する。
【００２２】
導光板本体４の第１主平面８の周縁部のうち、端面６側の周縁部８Ａには、点状第１光拡散部としての点状光拡散部１０Ａが形成されている。点状光拡散部１０Ａは、導光板本体４に対して備えられる複数のＬＥＤ３Ａ（図１（Ａ）参照）の隣接するＬＥＤ３Ａ同士の間に対応する位置に形成されている。点状光拡散部１０Ａは、周縁部８Ａの左右の端縁にも形成されている。点状光拡散部１０Ａは、後方から前方に向かうに従って左右方向の幅が狭くなる形状を呈している。すなわち、点状光拡散部１０Ａは、端面６側を底辺とする三角形を呈している。
【００２３】
また、導光板本体４の第１主平面８の周縁部のうち、端面７側の周縁部８Ｂには、点状第１光拡散部としての点状光拡散部１０Ｂが形成されている。点状光拡散部１０Ｂは、導光板本体４に対して備えられる複数のＬＥＤ３Ｂ（図１（Ｂ）参照）の隣接するＬＥＤ３Ｂ同士の間に対応する位置に形成されている。点状光拡散部１０Ｂは、周縁部８Ｂの左右の端縁にも形成されている。点状光拡散部１０Ｂは、前方から後方に向かうに従って左右方向の幅が狭くなる形状を呈している。すなわち、点状光拡散部１０Ｂは、端面７側を底辺とする三角形を呈している。
【００２４】
導光板本体４の第１主平面８には、点状光拡散部１０Ａと点状光拡散部１０Ｂとの間に点状第２光拡散部としての点状光拡散部１１が形成されている。点状光拡散部１１は、前後方向で互いに対向して配置される点状光拡散部１０Ａと点状光拡散部１０Ｂとのそれぞれの間に形成されている。
【００２５】
点状光拡散部１０Ａ，１０Ｂおよび点状光拡散部１１は、第１主平面８の点状光拡散部１０Ａ，１０Ｂおよび点状光拡散部１１に対応する位置に粗面化処理を施すことにより形成される凹凸面である。粗面化処理により、点状光拡散部１０Ａ，１０Ｂおよび点状光拡散部１１は、たとえば、多数の孔の集合にて凹凸面が形成される。点状光拡散部１０Ａ，１０Ｂおよび点状光拡散部１１は、多数の突起の集合にて凹凸面を形成してもよい。
【００２６】
図２，４に示すように、導光板本体４の第２主平面９の周縁部のうち、端面６側の周縁部９Ａには、線状第１光拡散部としての線状光拡散部１２Ａが形成されている。線状光拡散部１２Ａは、導光板本体４に対して備えられる複数のＬＥＤ３Ａ（図１（Ａ）参照）の隣接するＬＥＤ３Ａ同士の間に対応する位置に形成されている。線状光拡散部１２Ａは、周縁部９Ａの左右の端縁にも形成されている。線状光拡散部１２Ａは、後方から前方に向かうに従って左右方向の幅が狭くなる形状を呈している。すなわち、線状光拡散部１２Ａは、端面６側を底辺とする三角形を呈している。
【００２７】
また、導光板本体４の第２主平面９の周縁部のうち、端面７側の周縁部９Ｂには、線状第１光拡散部としての線状光拡散部１２Ｂが形成されている。線状光拡散部１２Ｂは、導光板本体４に対して備えられる複数のＬＥＤ３Ｂ（図１（Ｂ）参照）の隣接するＬＥＤ３Ｂ同士の間に対応する位置に形成されている。線状光拡散部１２Ｂは、周縁部９Ｂの左右の端縁にも形成されている。線状光拡散部１２Ｂは、前方から後方に向かうに従って左右方向の幅が狭くなる形状を呈している。すなわち、線状光拡散部１２Ｂは、端面７側を底辺とする三角形を呈している。
【００２８】
線状光拡散部１２Ａ，１２Ｂは、第２主平面９に形成される複数の溝１２ＡＡ，１２ＢＢにて形成することができる。溝１２ＡＡ，１２ＢＢは、長手方向が複数のＬＥＤ３Ａ，３Ｂの並列方向に平行な溝である。すなわち、溝１２ＡＡ，１２ＢＢは、端面６，端面７に平行であり、長手方向が左右方向に形成される溝である。
【００２９】
また、導光板本体４の第２主平面９には、線状光拡散部１２Ａと線状光拡散部１２Ｂとの間に線状第２光拡散部としての線状光拡散部１３（図２，４参照）が形成されている。線状光拡散部１３は、第２主平面９に形成される複数の溝１３Ａにて形成することができる。溝１３Ａは、長手方向が複数のＬＥＤ３Ａ，３Ｂの並列方向に平行な溝である。すなわち、溝１３Ａは、端面６，端面７に平行であり、第２主平面９の左右方向の一端縁から他端縁に亘って形成される。
【００３０】
溝１２ＡＡ，１２ＢＢおよび溝１３Ａは、たとえば、第１主平面８あるいは第２主平面９に対して切削により形成したり、あるいは、導光板本体４を成形型により製造する場合には、成形時に同時に型の転写形状として形成することもできる。また、線状光拡散部１２Ａ，１２Ｂおよび線状光拡散部１３は、凸条にて形成してもよい。
【００３１】
溝１２ＡＡ，１２ＢＢの溝の幅および深さは、溝１３Ａに比べて幅広であり深い形状となっている。また、溝１２ＡＡ同士が隣接する間隔（複数の溝１２ＡＡの前後方向の形成ピッチ）は、溝１３Ａ同士が隣接する間隔（複数の溝１３Ａの前後方向の形成ピッチ）に比べて密に形成されている。複数の溝１２ＢＢの前後方向の形成ピッチも複数の溝１３Ａの前後方向の形成ピッチに比べて密に形成されている。
【００３２】
（反射板５）
反射板５は、導光板本体４の第２主平面９と対向する面に、たとえば、アルミ蒸着を施すことで反射面５Ａが形成されている。反射板５は、第２主平面９の全面に対向する形状であることが好ましい。すなわち、反射板５は、平面視において導光板本体４と同一の形状か、あるいは第２主平面９よりも若干輪郭において大きいことが好ましい。これにより、後述するように第２主平面９から出射した光を導光板本体４側に反射させる光量を増やすことができる。また、反射板５は、反射面５Ａを導光板本体４の第２主平面９に平行に対向するように配置される。なお、反射板５を備える代わりに、導光板本体４の第２主平面９に反射シートを貼着したり、あるいは、第２主平面９に直接、たとえば、アルミ蒸着を施すことで、第２主平面９の外側に反射面を形成し、反射手段としてもよい。
【００３３】
（出射光の出射効率の向上および輝度の均一化）
次に、照明装置１のＬＥＤ３Ａ，３Ｂの出射光が、端面６，７から導光板２に入射し、導光板２から出射するまでの光の進行の様子を説明する。
【００３４】
先ず、ＬＥＤ３Ａから出射し、導光板本体４の端面６から導光板本体４内に入射した光の進行について説明する。端面６から導光板本体４に入射した光の一部は、導光板本体４内を透過し、直接、第１主平面８から導光板本体４の上方に出射する。また、他の一部の光は、第２主平面９から反射板５の側に出射し、反射面５Ａで反射され、再び導光板本体４を透過して第１主平面８から上方に出射する。
【００３５】
第２主平面９には、線状光拡散部１３が形成されている。線状光拡散部１３を形成する複数の溝１３Ａは、各々、端面６側に斜面を向けた傾斜面１３Ｂを有する。第２主平面９に傾斜面１３Ｂが形成されることで、第２主平面９の線状光拡散部１３の領域が平面だけで構成される場合に比べて、ＬＥＤ３Ａから出射された光が第２主平面９で全反射する光量を低減でき、第２主平面９を透過する光量を増加させことができる。つまり、第２主平面９に線状光拡散部１３を形成することで、ＬＥＤ３Ａから出射された光が、第２主平面９から反射面５Ａ側に出射する量を増やすことができる。反射面５Ａ側に出射された光は、反射面５Ａで反射され導光板本体４を透過して第１主平面８から上方に出射する。そのため、第２主平面９に線状光拡散部１３を形成することで、第１主平面８からの出射する光の量を増やすことができる。
【００３６】
隣接するＬＥＤ３Ｂの照射範囲と照射範囲との間の照射範囲外となる領域は、輝度が低くなり易い。具体的には、点状光拡散部１０Ｂが形成される領域は、隣接するＬＥＤ３ＢとＬＥＤ３Ｂの照射角の範囲外となる領域となり易く、輝度が低くなり易い。この点に着目し、導光板２では、第２主平面９の端面７側の周縁部９Ｂに線状光拡散部１２Ｂを形成することで、ＬＥＤ３ＢとＬＥＤ３Ｂの間の領域の輝度の向上を図っている。
【００３７】
つまり、線状光拡散部１２Ｂを形成する複数の溝１２ＢＢは、各々、端面６側に斜面を向けた傾斜面１２ＢＣを有する。第２主平面９の線状光拡散部１２Ｂの領域が平面だけで構成される場合に比べて、傾斜面１２ＢＣが形成されることで、ＬＥＤ３Ａから出射された光が第２主平面９で全反射する光量を低減でき、第２主平面９を透過する光量を増加させることができる。線状光拡散部１２Ｂが形成される領域から反射面５Ａ側に出射された光は、反射面５Ａで反射され導光板本体４を透過して、主に、第１主平面８の点状光拡散部１０Ｂを含む領域から上方に出射する。したがって、第２主平面９に線状光拡散部１２Ｂを形成することで、第１主平面８の点状光拡散部１０Ｂを含む領域から出射する光の量を増やすことができる。
【００３８】
次に、ＬＥＤ３Ｂから出射し、導光板本体４の端面７から導光板本体４内に入射した光の進行について説明する。ＬＥＤ３Ｂから出射した光は、導光板本体４の端面７から導光板本体４内に入射し、上述したＬＥＤ３Ａから出射した光と同様に、光の一部は、直接、第１主平面８から導光板本体４の上方に出射し、他の一部の光は、第２主平面９から反射板５の側に出射し、反射面５Ａで反射され、再び導光板本体４を透過して第１主平面８から上方に出射する。
【００３９】
線状光拡散部１３を形成する複数の溝１３Ａは、各々、端面７側に斜面を向けた傾斜面１３Ｃを有する。したがって、上述した傾斜面１３Ｂと同様に、ＬＥＤ３Ｂから出射した光が、第２主平面９で全反射される量を低減され、第２主平面９から反射面５Ａ側に出射する量を増やすことができる。反射面５Ａ側に出射された光は、反射面５Ａで反射され導光板本体４を透過して第１主平面８から上方に出射するため、第１主平面８からの出射する光の量を増やすことができる。
【００４０】
隣接するＬＥＤ３Ａの照射範囲と照射範囲との間の照射範囲外となる領域は、輝度が低くなり易い。具体的には、点状光拡散部１０Ａが形成される領域は、隣接するＬＥＤ３ＡとＬＥＤ３Ａの照射角の範囲外となる領域となり易く、輝度が低くなり易い。この点に着目し、導光板２では、第２主平面９の端面６側の周縁部９Ａに線状光拡散部１２Ａを形成することで、ＬＥＤ３ＡとＬＥＤ３Ａの間の領域の輝度の向上を図っている。
【００４１】
つまり、線状光拡散部１２Ａを形成する複数の溝１２ＡＡは、各々、端面７側に斜面を向けた傾斜面１２ＡＣを有する。第２主平面９の線状光拡散部１２Ａの領域が平面だけで構成される場合に比べて、傾斜面１２ＡＣが形成されることで、ＬＥＤ３Ｂから出射した光が第２主平面９で全反射される光量を低減でき、第２主平面９を透過する光量を増加させることができる。線状光拡散部１２Ａが形成される領域から反射面５Ａ側に出射された光は、反射面５Ａで反射され導光板本体４を透過して、主に、第１主平面８の点状光拡散部１０Ａを含む領域から上方に出射する。したがって、第２主平面９に線状光拡散部１２Ａを形成することで、第１主平面８の点状光拡散部１０Ａを含む領域から出射する光の量を増やすことができる。
【００４２】
上述したように、第２主平面９に線状光拡散部１２Ａ、線状光拡散部１２Ｂおよび線状光拡散部１３が形成されることで、ＬＥＤ３Ａ，３Ｂから導光板本体４に入射した光が第１主平面８から出射される出射効率が図られる。また、線状光拡散部１２Ａ，１２Ｂが形成されることで、隣接するＬＥＤ３ＡとＬＥＤ３Ｂの照射角の範囲外となる輝度が低い領域の輝度を向上させることができ、第１主平面８の輝度の均一化を図ることができる。
【００４３】
また、導光板本体４内の光は、第２主平面９から反射面５Ａ側に出射する際、線状光拡散部１２Ａ、線状光拡散部１２Ｂあるいは線状光拡散部１３により拡散された状態で出射する。さらに、第２主平面９から出射した光は、反射面５Ａで反射され再び第２主平面９に入射する際にも、線状光拡散部１２Ａ、線状光拡散部１２Ｂあるいは線状光拡散部１３により拡散される。つまり、線状光拡散部１２Ａ、線状光拡散部１２Ｂおよび線状光拡散部１３は、ＬＥＤ３Ａ，３Ｂから導光板本体４に入射した光の第１主平面８からの出射効率の向上を図ることに加えて、光の拡散を行うことで第１主平面８における輝度の均一化にも寄与する。
【００４４】
ＬＥＤ３Ａ，３Ｂから出射し導光板本体４内に入射した光は、上述したように、導光板本体４を透過し、直接、第１主平面８から出射したり、あるいは、導光板本体４から反射面５Ａ側に出射した後、反射面５Ａで反射され、再び導光板本体４を透過して第１主平面８から上方に出射する。第１主平面８には、点状光拡散部１０Ａ，１０Ｂおよび点状光拡散部１１が形成されている。導光板本体４から点状光拡散部１０Ａ，１０Ｂあるいは点状光拡散部１１を透過して出射する光は、点状光拡散部１０Ａ，１０Ｂあるいは点状光拡散部１１により拡散されて出射される。つまり、第１主平面８に点状光拡散部１０Ａ，１０Ｂおよび点状光拡散部１１が形成されることで、第１主平面８における輝度の均一化が図られる。
【００４５】
点状光拡散部１０Ａには、主に線状光拡散部１２Ａを透過した光が入射し、拡散され出射される。つまり、線状光拡散部１２Ａにより、点状光拡散部１０Ａを含む領域から出射する光の輝度の均一化が図られる。また、線状光拡散部１２Ａは、ＬＥＤ３Ｂから出射し、導光板本体４を進行し線状光拡散部１２Ａに到達した光が線状光拡散部１２Ａで拡散され第１主平面８から出射する。したがって、線状光拡散部１２Ａは、第１主平面８の線状光拡散部１２Ａにおける出射効率を上げることもできる。
【００４６】
点状光拡散部１０Ｂには、主に線状光拡散部１２Ｂを透過した光が入射し、拡散され出射される。つまり、線状光拡散部１２Ｂにより、点状光拡散部１０Ｂを含む領域から出射する光の輝度の均一化が図られる。また、線状光拡散部１２Ｂは、ＬＥＤ３Ａから出射し、導光板本体４を進行し線状光拡散部１２Ｂに到達した光が線状光拡散部１２Ｂで拡散され第１主平面８から出射する。したがって、線状光拡散部１２Ｂは、第１主平面８の線状光拡散部１２Ｂにおける出射効率を上げることもできる。
【００４７】
さらに、点状光拡散部１１には、主に線状光拡散部１３を透過した光、あるいは、ＬＥＤ３Ａ，３Ｂから出射し、導光板本体４を進行し点状光拡散部１１に到達した光が、進行し点状光拡散部１１で拡散され第１主平面８から出射する。したがって、進行し点状光拡散部１１は、第１主平面８の点状光拡散部１１における出射効率を上げることもできる。
【００４８】
上述の実施の形態では、線状光拡散部１２Ａ，１２Ｂおよび線状光拡散部１３を形成する溝１２ＡＡ，１２ＢＢおよび溝１３Ａの断面の形状は、略三角形を呈している。しかしながら、該溝の断面形状は、端面６，７に向く斜面を有すれば三角形に限らず、たとえば、略半円形や台形等とすることもできる。また、線状光拡散部１２Ａ，１２Ｂおよび線状光拡散部１３は、溝とする代わりに、下方、すなわち反射面５Ａ側に突出する凸条にて形成してもよい。
【００４９】
導光板２は、上述したように、並列される複数の光源である複数のＬＥＤ３Ａと複数のＬＥＤ３Ｂから出射される光が入射し、互いに対向して配置される第１端面としての端面６および第２端面としての端面７と、各端面６，７から入射した複数のＬＥＤ３Ａ，３Ｂからの光が出射する互いに対向して配置される第１主平面８および第２主平面９と、第２主平面９に対向して配置され、第２主平面９から出射された光を第２主平面９側に反射する反射手段としての反射板５とを有する。そして、第１主平面８には、複数のＬＥＤ３Ａの隣り合うＬＥＤ３Ａの間に対応した領域に、端面６および端面７の各端面から他方の端面に向かうに従って幅が狭くなる第１光拡散部としての点状光拡散部１０Ａ，１０Ｂおよび線状光拡散部１２Ａ，１２Ｂが形成されている。第１主平面８および第２主平面９のうち、いずれか一方の主平面である第１主平面８には、点状光拡散部１０Ａ，１０Ｂが形成され、他方の主平面である第２主平面９には、線状光拡散部１２Ａ，１２Ｂが形成されている。点状光拡散部１０Ａ，１０Ｂは、多数の突起または穴の集合にて形成される。線状光拡散部１２Ａ，１２Ｂは、長さ方向が並列される複数のＬＥＤ３Ａ，３Ｂの並列方向に平行な多数の凸条または溝の集合にて形成される。
【００５０】
導光板２がこのように構成されることで、ＬＥＤ３Ａ，３Ｂから出射し導光板本体４内に入射した光が、第１主平面８から出射する出射効率を向上させることができ、併せて、第１主平面８における輝度分布の均一化を図ることができる。また、隣接するＬＥＤ３ＢとＬＥＤ３Ｂの間の照射角の範囲外となる領域、および隣接するＬＥＤ３ＡとＬＥＤ３Ａの間の照射角の範囲外となる領域は輝度が低くなり易い。しかしながら、導光板本体４に点状光拡散部１０Ａ，１０Ｂおよび線状光拡散部１２Ａ，１２Ｂが形成されることで、第１主平面８の該輝度が低くなり易い領域から出射する光の出射光量の向上および輝度分布の均一化が図られる。
【００５１】
点状光拡散部１１は、各ＬＥＤ３ＡおよびＬＥＤ３Ｂの光軸からの距離が離れるほど、凹部あるいは凸部の形成密度が高くなることが好ましい。
【００５２】
点状光拡散部１１が形成される部分は、導光板本体４を進行する光の第１主平面８における全反射が破られ易い。したがって、点状光拡散部１１では、導光板本体４を進行する光の出射効率が向上する。
【００５３】
ＬＥＤ３Ａ，３Ｂの光軸からの距離が離れるほど、ＬＥＤ３Ａ，３Ｂから出射される光の強度は弱まる。そこで、各ＬＥＤ３ＡおよびＬＥＤ３Ｂの光軸からの距離が離れるほど、点状光拡散部１１を構成する凹部あるいは凸部の形成密度を高くすることにより、ＬＥＤ３Ａ，３Ｂの光軸からの距離が離れた位置での光の出射効率を向上させることができ、第１主平面８における光の出射効率の輝度の均一化を図ることができる。
【００５４】
なお、点状光拡散部１１の凹部あるいは凸部の形成密度は、各ＬＥＤ３ＡおよびＬＥＤ３Ｂの光軸からの距離が離れるに従って徐々に高くなることが好ましい。徐々に高くすることで、輝度分布の変化が滑らかになり第１主平面８の輝度分布の均一化を図ることができる。
【００５５】
点状光拡散部１０Ａ，１０Ｂおよび線状光拡散部１２Ａ，１２Ｂは、ＬＥＤ３Ａ，３Ｂの照射角の７０％よりも外側の範囲に形成されることが好ましい。
【００５６】
点状光拡散部１０Ａ，１０Ｂおよび線状光拡散部１２Ａ，１２Ｂでは、導光板本体４内を進行する光の出射効率が高くなる。そのため、仮に、ＬＥＤ３Ａ，３Ｂの光軸上に点状光拡散部１０Ａ，１０Ｂおよび線状光拡散部１２Ａ，１２Ｂを形成すると、もともと輝度の高い部分での光の出射効率が高くなってしまい、光軸から離れた輝度の低い部分へ進行する光の量が低減されてしまう。
【００５７】
そこで、点状光拡散部１０Ａ，１０Ｂおよび線状光拡散部１２Ａ，１２Ｂは、ＬＥＤ３Ａ，３Ｂの照射角の７０％よりも外側の範囲に形成し、ＬＥＤ３Ａ，３Ｂの光軸に近い領域での光の出射量を減らすことで、該光軸から遠い輝度の低下し易い領域に進行する光の量を増やすことができる。
【００５８】
導光板２は、端面６と端面７との間隔が３０ｍｍ以上８０ｍｍ以下であることが好ましい。
【００５９】
導光板２のサイズが小さくなるほど、ＬＥＤ３Ａ，３Ｂから出射した光が導光板本体４内で拡散される回数が減り、輝度斑が生じやすくなる。しかしながら、上述したように、導光板本体４と反射板５を備え、導光板本体４に点状光拡散部１０Ａ，１０Ｂおよび線状光拡散部１２Ａ，１２Ｂを形成することで、端面６と端面７との間隔が３０ｍｍ以上８０ｍｍ以下であっても、第１主平面８における光出射効率の向上と輝度分布の均一化を図ることができる。さらに、点状光拡散部１１および線状光拡散部１３が形成されることで、第１主平面８における光の出射効率の向上と輝度分布の均一化が一層図られる。
【００６０】
ＬＥＤ３Ａ，３Ｂが、たとえば、図５に示すように、ＬＥＤチップ２０をカップ状の反射板２１内に配置されている構成のものを用いることができる。この場合、導光板本体４の厚さ、すなわち第１主平面８と第２主平面９との間隔Ｄは、反射板２１の開口径Ｒ以上であり開口径Ｒの３倍以下であることが好ましい。
【００６１】
導光板本体４の厚さが、開口径Ｒ未満となると、ＬＥＤ３Ａ，３Ｂから出射した光が端面６，７に入射しきれず漏れてしまう量が増え適当でない。一方、導光板本体４の厚さが増すほど、一方の端面（端面６または端面７）から他方の端面（端面７または端面６）に進行する光が第１主平面８と第２主平面９との間で反射を繰り返す回数が減る。そのため、端面６，７から入射した光が、点状光拡散部１０Ａ，１０Ｂ、線状光拡散部１２Ａ，１２Ｂ、点状光拡散部１１あるいは線状光拡散部１３により拡散される回数が減り、出射効率の向上や輝度分布の均一化を図り難くなる。したがって、導光板本体４の厚さを、開口径Ｒ以上であり開口径Ｒの３倍以下とすることで、ＬＥＤ３Ａ，３Ｂから出射した光の端面６，７への入射効率を上げることができると共に、第１主平面８から出射する光の出射効率と輝度分布の均一化を効率的に図ることができる。
【００６２】
なお、点状光拡散部１０Ａは、端面６側に近いほど密に突起または穴が形成され、端面６から遠ざかるにしたがって粗となるように形成することが好ましい。点状光拡散部１０Ｂも同様に、端面７側に近いほど密に突起または穴が形成され、端面７から遠ざかるにしたがって粗となるように形成することが好ましい。さらに、線状光拡散部１２Ａは、端面６側に近いほど密に凸条または溝が形成され、端面６から遠ざかるにしたがって粗となるように形成することが好ましい。そして、線状光拡散部１２Ｂも同様に、端面７側に近いほど密に凸条または溝が形成され、端面７から遠ざかるにしたがって粗となるように形成することが好ましい。このようにすることによって、隣接するＬＥＤ３ＡとＬＥＤ３Ａとの間、および隣接するＬＥＤ３ＢとＬＥＤ３Ｂとの間の暗くなる位置や、ＬＥＤ３ＡやＬＥＤ３Ｂが配置されない左右の端部位置における明るさの落ち込みを効果的に低減でき、導光板２の光出射面である第１主平面８の輝度の均一化をより効果的に図ることができる。
【００６３】
なお、点状光拡散部１０Ａ，１０Ｂは、粗面化処理によって形成された多数の微細な突起または穴で構成されているが、点状光拡散部１０Ａ，１０Ｂは、たとえば、微細な複数のレンズ形状の凹凸部等で形成してもよい。点状光拡散部１０Ａ，１０Ｂの凹凸形状は、凸レンズ形状、凹レンズ形状、円錐形状の凹凸部を設ける構造としてもよい。
【００６４】
（第２の実施の形態）
図６の上段（Ａ）および下段（Ｂ）に示すように、端面６の点状光拡散部１０Ａおよび線状光拡散部１２Ａに対応した部分と、端面７の点状光拡散部１０Ｂおよび線状光拡散部１２Ｂに対応した部分とは、下方（第２主平面９側）から上方（第１主平面８側）に向かって、互いに間隔が広くなる斜面６Ａと斜面７Ａとを形成することが好ましい。
【００６５】
斜面６Ａ，７Ａを形成することで、ＬＥＤ３Ａ，３Ｂから出射した光を第１主平面８から出射させる出射効率の向上を図ることができる。つまり、ＬＥＤ３Ａから出射し端面６から導光板本体４に入射し斜面７Ａに到達した光は、斜面７Ａで上側に向けて反射される。また、ＬＥＤ３Ｂから出射し端面７から導光板本体４に入射し斜面６Ａに到達した光は、斜面６Ａで上側に向けて反射される。これにより、ＬＥＤ３Ａ，３Ｂから出射した光を第１主平面８から出射させる出射効率の向上を図ることができる。
【００６６】
（第３の実施の形態）
図７，８に示すように、導光板２は、第１主平面８の上方に拡散板３０と、光遮蔽部材としての遮光板３１を備えた構成としてもよい。拡散板３０は、導光板２の導光板本体４の側に、第１主平面８から出射した光が入射する光入射面３２と、この光入射面３２から入射した光が出射する光出射面３３を有する。また、拡散板３０の前後には、凸条部３４が形成されている。凸条部３４は、導光板本体４側に突出し、導光板本体４の第１主平面８の点状光拡散部１０Ａが形成される縁部である周縁部８Ａ（図１，３参照）と、点状光拡散部１０Ｂが形成される縁部である周縁部８Ｂ（図１，３参照）とに対向する位置に設けられている。凸条部３４の下面には、周縁部８Ａ，８Ｂから出射する光が入射する光入射面である周縁光入射面３５が形成されている。拡散板３０の前後の凸条部３４の間は、凹部３６として形成されている。凹部３６の底面である光入射面３２は、第１主平面８から出射した光が入射する光入射面として形成されている。
【００６７】
拡散板３０としては、たとえば、アクリル樹脂、ポリカーボネイト樹脂あるいはガラスなどの透明な材料に、光散乱粒子を混合することで、拡散板３０内に入射した光を散乱させ外部に出射できる構成となっている。光散乱粒子としては、たとえば、特開２０１０−９７０８８、特開２０１０−１２３３０９等に開示される光散乱粒子を用いることができる。また、拡散板３０は、光散乱粒子を混合する代わりに、拡散板３０の表面に粗面化処理を施すことにより、多数の孔または突起の集合にて凹凸面が形成される光散乱面を有する構成としてもよい。
【００６８】
拡散板３０は、平面視において矩形であり、拡散板３０の外周の側面（前後左右の側面）は、導光板本体４の外周の側面（端面６、端面７、および左右の側面）と同一面内に配置されるか、それよりも外側に突出している。図７，８に示す拡散板３０は、前後方向において、凸条部外側面３７が導光板本体４の端面６および端面７よりも外側に突出し、左右方向において、導光板本体４の左右の側面と同一面内に配置されている。
【００６９】
拡散板３０の外周の側面を、導光板本体４の外周の側面と同一面内に配置されるか、それよりも外側に突出させることで、照明装置１の平面視における外形が拡散板３０により規定される。なお、本実施の形態に係る照明装置１において、凸条部３４は、拡散板３０の周縁部のうち、前後のみに形成されているが、拡散板３０の左右側にも形成してもよい。拡散板３０の全周にわたって凸条部３４を形成することで、拡散板３０の剛性を高めることができる。
【００７０】
凸条部３４の外側の側面である凸条部外側面３７は、空気に接する面である。また、凸条部３４の内側の側面である凸条部内側面３８も空気に接する面である。したがって、周縁光入射面３５から凸条部３４内に入射した光の一部は、凸条部外側面３７および凸条部内側面３８で全反射され、光出射面３３から出射することができる。凸条部外側面３７と凸条部内側面３８とは互いに平行な面であり、周縁光入射面３５は、凸条部外側面３７と凸条部内側面３８とに直交する面である。
【００７１】
凸条部３４の周縁光入射面３５は、ＬＥＤ３Ａ，３Ｂあるいは周縁部８Ａ，８Ｂから出射する光が遮光板３１により遮蔽される領域である遮光領域Ｂと、遮光板３１により遮蔽されることなく入射する領域である入射領域Ｃとを有する。すなわち、凸条部３４の周縁光入射面３５と、周縁部８Ａ，８Ｂとの間に遮光板３１を配置することにより、周縁部８Ａ，８Ｂから出射した光が周縁光入射面３５に入射する光量を制限することができる。
【００７２】
遮光領域Ｂは、ＬＥＤ３Ａ，３Ｂから出射された光を導光板２を介さずに直接拡散板３０に入射させない広さ（前後の幅寸法）を少なくとも有する。また、遮光領域Ｂの広さ（前後方向の幅寸法）と入射領域Ｃの広さ（前後方向の幅寸法）とは、周縁部８Ａ，８Ｂ（図１，３参照）から周縁光入射面３５に入射する光が光出射面３３から出射する際に、光出射面３３の全体の明るさが均一となるように設定される。周縁部８Ａ，８Ｂから周縁光入射面３５に入射した光は主に、光出射面３３の周縁部から出射することになる。光出射面３３の周縁部の明るさが、該周縁部よりも内側の明るさに近づくように、遮光領域Ｂの広さおよび入射領域Ｃの広さが設定される。
【００７３】
続いて、照明装置１において、ＬＥＤ３Ａ，３Ｂから出射された光が光出射面３３から出射するまでの光の経路について説明する。ＬＥＤ３Ａ，３Ｂから出射された光は、導光板２内を導光することで輝度の均一化が図られた状態で第１主平面８から出射する。
【００７４】
第１主平面８から出射された光は、拡散板３０の光入射面３２および周縁光入射面３５に入射され、拡散板３０内を進行し光出射面３３から出射される。拡散板３０には光散乱粒子が含有されている。そのため、拡散板３０内に入射した光が拡散板３０内で散乱され、光出射面３３から出射する光の輝度分布の均一化を図ることができる。
【００７５】
ＬＥＤ３Ａ，３Ｂから出射される光は、ＬＥＤ３Ａ，３Ｂに近い位置では明るく、遠くなるに従い暗くなる。しかしながら、照明装置１では、導光板本体４の端面６にＬＥＤ３Ａを備え、導光板本体４の端面７にＬＥＤ３Ｂを備え、相互に前後に向かって光が進行するので、前後からの光とが互いに補完しあうことで、導光板２の第１主平面８の輝度が均一化される。
【００７６】
導光板２のＬＥＤ３Ａ，３Ｂに近い周縁部８Ａ，８Ｂには、遮光板３１が配置されている。遮光板３１により、ＬＥＤ３Ａ，３Ｂから直接あるいは周縁部８Ａ，８Ｂから凸条部３４へ入射する光が制限され、周縁光入射面３５の一部は遮光領域Ｂとなっている。つまり、ＬＥＤ３Ａ，３Ｂから出射され周縁光入射面３５に向かう光の一部は遮光領域Ｂすなわち遮光板３１より遮蔽される。
【００７７】
一方、入射領域Ｃでは、第１主平面８から凸条部３４の周縁光入射面３５に向けて出射された光の一部が入射される。凸条部３４の周縁光入射面３５から入射された光の一部は、凸条部３４の凸条部内側面３８と凸条部外側面３７とで全反射されながら、また、光散乱粒子で散乱されながら進み、拡散板３０の光出射面３３の主として凸条部３４の配置領域上方、すなわち光出射面３３のＬＥＤ３Ａ，３Ｂが配置される側の周縁部から出射される。すなわち、凸条部３４内に入射された光の一部は、凸条部外側面３７と凸条部内側面３８とで全反射されながら、また、光散乱粒子で散乱されながら進むことで、光出射面３３から拡散状態で出射される。凸条部３４に入射した光は主として凸条部３４の配置位置上方から出射する。
【００７８】
以上説明した照明装置１は、遮光板３１により遮光領域Ｂが形成されている。これにより、ＬＥＤ３Ａ，３Ｂの出射光が、拡散板３０に直接入射することを防止されている。また、導光板２に入射された光の一部は、導光板２内を光散乱粒子で散乱されながら導光され、第１主平面８から拡散光として出射され、拡散板３０に入射される。そして、第１主平面８から出射した光は、拡散板３０を透過し、この拡散板３０でさらに拡散された状態で光出射面３３から出射される。さらに、照明装置１は、拡散板３０のＬＥＤ３Ａ，３Ｂの配置位置側の周縁部に凸条部３４が形成されている。凸条部３４が設けられることで、凸条部外側面３７および凸条部内側面３８が形成される。そのため、導光板２の周縁部８Ａ，８Ｂから出射し凸条部３４の周縁光入射面３５に入射した光の一部は、凸条部３４の凸条部外側面３７と凸条部内側面３８とで全反射されながら、また、光散乱粒子で散乱されながら進み、拡散板３０の光出射面３３の周縁部から拡散光を出射させられる。
【００７９】
つまり、遮光板３１で遮光領域Ｂを形成することで、ＬＥＤ３Ａ，３Ｂの出射光は拡散板３０に直接入射させられることなく導光板２に入射することができる。導光板２に入射した光の一部は、導光板２内を光散乱粒子で散乱されながら導光され、第１主平面８から拡散光として出射し、拡散板３０に入射される。これにより、ＬＥＤ３Ａ，３Ｂの出射光が拡散板３０に直接入射した場合にＬＥＤ３Ａ，３Ｂの部分が点光源のように見えてしまうことを防止できる。
【００８０】
また、拡散板３０に凸条部３４が設けられているため、周縁部８Ａ，８Ｂから出射した光は凸条部３４の周縁光入射面３５から凸条部３４内に導光され、凸条部３４の凸条部内側面３８と凸条部外側面３７とで全反射させながら、また、光散乱粒子で散乱され、拡散板３０の光出射面３３の周縁部から拡散光として出射させられる。これにより、遮光板３１を備える構成とした場合にも、光出射面３３の遮光板３１が備えられる側の周縁部に、遮光板３１により遮光され縁取りされたような暗部が生じることを防止できる。
【００８１】
したがって、照明装置１は、ＬＥＤ３Ａ，３Ｂが点光源に見えることによる見栄えが悪くなることを排除しながら、光出射面３３の周縁部が縁取りされたように暗くならずに周縁部を含めて光出射面３３の全体の明るさの均一化を図ることができる。
【００８２】
なお、凸条部３４の光の入射領域Ｃの大きさは、凸条部３４の幅寸法を大きくする、または小さくすることで調整可能である。つまり、拡散板３０の光出射面における中央部と周縁部の明るさの均一化は、導光板２から出射された光の凸条部３４への入射量を調整することで容易に行うことができる。
【００８３】
本実施の形態における照明装置１において、遮光領域Ｂは、たとえば、周縁光入射面３５に遮光性を有するテープを貼着したり、あるいは、遮光性を有する塗料の塗布を施すことで形成することができる。
【００８４】
導光板２と周縁光入射面３５との間に遮光板３１を設けない構成としてもよい。かかる構成とした場合においても、周縁光入射面３５から凸条部３４内に入射した光が、凸条部３４内を。凸条部外側面３７と凸条部内側面３８とで全反射されながら、また、光散乱粒子で散乱されながら進むことで、光出射面３３から拡散状態で出射される。そのため、光出射面３３の周縁について輝度の低下が抑えられ、光出射面３３の全体の明るさの均一化を図ることができる。
【００８５】
（第４の実施の形態）
図９に示すように、導光板本体４は、点状光拡散部１０Ａ，１０Ｂおよび点状光拡散部１１を反射面５Ａに対向する第２主平面９に形成し、線状光拡散部１２Ａ，１２Ｂおよび線状光拡散部１３を光出射面となる第１主平面８に形成する構成としてもよい。
【００８６】
なお、図１０に示すように、上述の第３の実施の形態に示す拡散板３０を備えた照明装置１を複数並列させることで、大判のパネル型照明装置１００を構成することができる。
【００８７】
図１０は、照明装置１を２個並列させたパネル型照明装置１００の１例を示す平面図である。図１０に示すように、パネル型照明装置１００は、各照明装置１を、各照明装置１の凸条部外側面３７同士を密接させて配置している。
【００８８】
照明装置１は、前述したように、光出射面３３の周縁部が縁取りされたように暗くならず、周縁部を含めて輝度が均一化されている。したがって、２つの照明装置１を並列させたときにも、つなぎ目部分が縁取りされたようにならずに、見栄えのよい大判のパネル型照明装置１００を実現できる。
【００８９】
なお、パネル型照明装置１００としては、照明装置１の配列の仕方は限定されない。たとえば、照明装置１の配列数は３個以上でもよく、配列の方向も特に限定されない。
【符号の説明】
【００９０】
１  …  照明装置
２  …  導光板
３Ａ，３Ｂ  …  ＬＥＤ（光源）
５  …  反射板（反射手段）
６  …  端面（第１端面）
６Ａ，７Ａ  …  斜面
７  …  端面（第２端面）
８  …  第１主平面
８Ａ，８Ｂ  …  周縁部
９  …  第２主平面
１０Ａ，１０Ｂ  …  点状光拡散部（点状第１光拡散部，第１光拡散部）
１１  …  点状光拡散部（点状第２光拡散部，第２光拡散部）
１２Ａ，１２Ｂ  …  線状光拡散部（線状第１光拡散部，第１光拡散部）
１２ＡＡ，１２ＢＢ  …  溝
１３  …  線状光拡散部（線状第２光拡散部，第２光拡散部）
２０  …  ＬＥＤチップ
２１  …  反射板
３０  …  拡散板
３１  …  遮光板（光遮蔽部材）
３２  …  光入射面
３３  …  光出射面
３４  …  凸条部
３５  …  周縁光入射面
【図１】
2015153522.tif 000003
【図２】
2015153522.tif 000004
【図３】
2015153522.tif 000005
【図４】
2015153522.tif 000006
【図５】
2015153522.tif 000007
【図６】
2015153522.tif 000008
【図７】
2015153522.tif 000009
【図８】
2015153522.tif 000010
【図９】
2015153522.tif 000011
【図１０】
2015153522.tif 000012